(57)【要約】【課題】簡易な方法でエコーの測定を行う。【解決手段】信号発信器１１がＴ線に対して、短時間に区切った単発の信号を発信する。これにより、Ｒ線で観測されるハイブリッドエコーとネットワークエコーとが重複しないので、ハイブリッドエコーとネットワークエコーとを一度に検出して信号レベル、遅延時間をまとめて測定することが可能となる。【選択図】図１
2009200822.tif 000002
【特許請求の範囲】
【請求項１】
送信信号を伝送する送信線と受信信号を伝送する受信線とを別々に備えた４線式伝送路と送信信号と受信信号に同じ通信線を用いる２線式伝送路とを変換するハイブリッド回路を有する通信機器において、当該通信機器で発生する機器側エコーと前記機器側エコーより遅れて観測される回線側エコーとを検出するエコー測定装置であって、
前記送信線に前記機器側エコーと前記回線側エコーとが重畳しない短時間の信号を発信する信号発信手段と、
前記受信線に接続され、前記信号発信手段が発信した発信信号に起因する前記機器側エコー及び前記回線側エコーを含む受信信号を取得する受信信号取得手段と、
前記受信信号から前記各エコーそれぞれの信号レベルおよび発生時間を検出する検出手段と、
を有することを特徴とするエコー測定装置。
【請求項２】
前記送信線に接続され、前記発信信号を取得する送信信号取得手段をさらに有し、
前記検出手段が前記発信信号の信号レベルおよび発生時間をさらに検出すること
を特徴とする請求項１記載のエコー測定装置。
【発明の詳細な説明】
【技術分野】
【０００１】
本発明は、通信回線で発生するエコーを測定する技術に関する。
【背景技術】
【０００２】
２線４線変換回路で発生するハイブリッドエコーやネットワークエコーは、例えば、雑音故障やＦＡＸ不通故障などの原因となるためさまざまな測定技術やエコー抑制技術が提案されている（例えば、特許文献１、特許文献２参照）。
【０００３】
また、音声通話では、ハイブリッドエコーおよびネットワークエコー以外に音響エコーが存在する。ハンズフリー電話機などにおいて音響エコーを除去する技術も知られている（例えば、特許文献３、特許文献４、特許文献５参照）。
【特許文献１】特開昭６３−１０２４２０号公報
【特許文献２】特開平８−３３１０２１号公報
【特許文献３】特開平１１−２３４１７６号公報
【特許文献４】特開２００５−２１７８６３号公報
【特許文献５】特開２００５−２４４５７９号公報
【発明の開示】
【発明が解決しようとする課題】
【０００４】
しかしながら、特許文献１に記載の技術では、２線式伝送路の両端に送信側装置と受信側装置を配置する必要があり、簡易にエコーレベルの測定を行うことができない。また、回線系の各種の歪みが影響するため、エコーレベルの測定に単発パルス信号を用いることが難しい。そのため、ある程度の持続期間を有するバースト信号を送信側装置から受信側装置へ何度も発信してエコーレベルの測定を行っている。
【０００５】
特許文献３では、自分の電話機のスピーカ、マイクで発生する音響エコーと、通信先電話機のスピーカ、マイクで発生する音響エコーとを個別に測定している。まず、基準インパルス信号を発生してスピーカから音を発し、自分の電話機で発生する音響エコーの遅延時間と信号レベルを測定する。続いて、回線に対して基準となる信号を発信し、回線から戻ってくる通信先電話機で発生した音響エコーの遅延時間と信号レベルを測定している。この技術では、各エコーを測定するために、それぞれ異なる信号を別々に発信する必要がある。
【０００６】
本発明は、上記に鑑みてなされたものであり、その課題とするところは、簡易な方法で通信機器で発生する機器側エコーと回線先で発生する回線側エコーとを一度に測定することにある。
【課題を解決するための手段】
【０００７】
本発明に係るエコー測定装置は、送信信号を伝送する送信線と受信信号を伝送する受信線とを別々に備えた４線式伝送路と送信信号と受信信号に同じ通信線を用いる２線式伝送路とを変換するハイブリッド回路を有する通信機器において、当該通信機器で発生する機器側エコーと機器側エコーより遅れて観測される回線側エコーとを検出するエコー測定装置であって、送信線に機器側エコーと回線側エコーとが重畳しない短時間の信号を発信する信号発信手段と、受信線に接続され、信号発信手段が発信した発信信号に起因する機器側エコー及び回線側エコーを含む受信信号を取得する受信信号取得手段と、受信信号から各エコーそれぞれの信号レベルおよび発生時間を検出する検出手段と、を有することを特徴とする。
【０００８】
本発明にあっては、信号発生手段が機器側エコーと回線側エコーとが重畳しない短時間の信号を発信することにより、送信信号取得手段が取得する受信信号では、機器側エコーと回線側エコーとを区別することができるので、検出手段が機器側エコーと回線側エコーの信号レベル、発生時間をまとめて検出することが可能となる。なお、機器側エコーとは、通信機器のハイブリッド回路で発生するハイブリッドエコーや側音であり、回線側エコーとは、通信回線に接続されたネットワーク機器や通信先機器で発生するネットワークエコー、通信先機器の音響エコーである。一般に回線側エコーは機器側エコーよりも遅れて観測される。
【０００９】
上記エコー測定装置において、送信線に接続され、発信信号を取得する送信信号取得手段をさらに有し、検出手段が発信信号の信号レベルおよび発生時間をさらに検出することを特徴とする。
【００１０】
本発明にあっては、発信信号の信号レベル、発生時間を検出することにより、ハイブリッドエコーおよび他のエコーが発信信号に対してどのくらい減衰しているか、あるいは、どのくらい遅延しているかを検知することが可能となる。
【発明の効果】
【００１１】
本発明によれば、簡易な方法で通信機器で発生する機器側エコーと回線先で発生する回線側エコーとを一度に測定することができる。
【発明を実施するための最良の形態】
【００１２】
以下、本発明の実施の形態について図面を用いて説明する。
【００１３】
図１は、本実施の形態におけるエコー測定装置の構成を示すブロック図である。同図に示すエコー測定装置１は、電話機２などの通信端末に接続され、電話機２で検出される各種エコーの信号レベル、遅延時間を測定して表示する。
【００１４】
音声通信におけるエコーには、ハイブリッドエコー、ネットワークエコーおよび音響エコーがある。ハイブリッドエコーは、電話機２内で２線４線変換する際に送信信号の一部が反射したものである。ネットワークエコーは、ネットワーク装置あるいは通信先装置のハイブリッド回路で送信信号が反射したものである。ハイブリッドエコーは、送信信号とほぼ同時に検出されるのに対し、ネットワークエコーは、長い遅延時間で検出される。また、音響エコーは、スピーカーが出力した音をマイクが拾ってしまうために発生するものである。電話機をハンズフリーモードで使う場合に発生しやすい。発信側の電話機で発生する側音や通信先装置で生じる音響エコーがある。側音は短い遅延時間であるのに対し、通信先装置で生じる音響エコーは長い遅延時間で検出される。
【００１５】
本実施の形態では、これらエコーのうち、電話機２で発生する機器側エコーとしてハイブリッドエコーを検出し、回線側エコーとしてネットワークエコーを検出する。
【００１６】
ここで、エコー測定装置１の構成について説明する。図１に示すエコー測定装置１は、信号発信器１１、発信信号取得部１２、エコー信号取得部１３、検出部１４、算出部１５および表示部１６を有する。エコー測定装置１を接続する電話機２は、ハイブリッド回路２１、マイク２２およびスピーカ２３を有する。ハイブリッド回路２１は、送信信号と受信信号に同じ通信線を用いる２線式伝送路と、送信信号を伝送するＴ線と受信信号を伝送するＲ線とを別々に備えた４線式伝送路とを変換する。Ｔ線にはマイク２２を接続し、Ｒ線にはスピーカ２３を接続する。
【００１７】
信号発信器１１は、電話機２のＴ線に接続し、約１ｍｓ〜５ｍｓ程度の短時間に区切った任意周波数の単発信号を発信する。信号発信器１１が発信する信号の周波数は任意に調節することが可能であり、電話の音声帯域である０．３ｋＨｚ〜３．４ｋＨｚが望ましい。また、信号発信器１１は、電話機２のマイク２２を介して信号を入力するものでもよい。
【００１８】
発信信号取得部１２は、電話機２のＴ線に接続し、信号発信器１１の発信信号を含むＴ線の信号波形を取得する。
【００１９】
エコー信号取得部１３は、電話機２のＲ線に接続し、発信信号がハイブリッド回路２１で反射したハイブリッドエコーおよび通信先装置などで反射したネットワークエコーを含むＲ線の信号波形を取得する。
【００２０】
検出部１４は、発信信号取得部１２が取得したＴ線の信号波形から発信信号の信号レベルと発生時間を検出する。また、エコー信号取得部１３が取得したＲ線の信号波形からハイブリッドエコーおよびネットワークエコーそれぞれの信号レベルと発生時間を検出する。ハイブリッドエコーおよびネットワークエコーはどちらもＲ線の信号波形で観測されるが、ネットワークエコーはハイブリッドエコーに比べて遅れて観測されるので、観測された順番で各エコーを識別することが可能である。
【００２１】
算出部１５は、発信信号とハイブリッドエコーの発生時間の差分をハイブリッドエコー遅延時間として、発信信号とネットワークエコーの発生時間の差分をネットワークエコー遅延時間として算出する。さらに、ハイブリッドエコーの発信信号に対する減衰量をハイブリッドエコー減衰量として、ネットワークエコーの発信信号に対する減衰量をネットワークエコー減衰量として算出する。
【００２２】
表示部１６は、算出したハイブリッドエコー遅延時間、ネットワークエコー遅延時間、ハイブリッドエコー減衰量およびネットワークエコー減衰量を表示する。
【００２３】
次に、エコー測定装置１の動作について説明する。図２は、エコー測定装置１のエコー測定手順を示すフローチャートである。まず、信号発信器１１が電話機２のＴ線に対して短時間に区切った任意周波数の信号を送信する（ステップＳ２０１）。
【００２４】
発信信号取得部１２がＴ線から信号波形を取得し（ステップＳ２０２）、検出部１４がＴ線の信号波形から発信信号の信号レベルと発生時間を検出し、データメモリに記憶させる（ステップＳ２０３）。データメモリはエコー測定装置１が備える記憶装置である。
【００２５】
これと平行して、エコー信号取得部１３がＲ線から信号波形を取得し（ステップＳ２０４）、検出部１４がＲ線の信号波形からハイブリッドエコーおよびネットワークエコーそれぞれの信号レベルと発生時間を検出し、データメモリに記憶させる（ステップＳ２０５）。
【００２６】
続いて、算出部１５が各種エコーの遅延時間を算出する（ステップＳ２０６）。データメモリから発信信号とハイブリッドエコーの発生時間を読み出し、その差分をハイブリッドエコー遅延時間としてデータメモリに記憶させる。また、データメモリからネットワークエコーの発生時間を読み出し、発信信号の発生時間との差分をネットワークエコー遅延時間としてデータメモリに記憶させる。
【００２７】
さらに、算出部１５は各種エコーの減衰量を算出する（ステップＳ２０７）。データメモリから発信信号とハイブリッドエコーの信号レベルを読み出し、ハイブリッドエコーの発信信号に対する減衰量を算出し、ハイブリッドエコー減衰量としてデータメモリに記憶させる。また、データメモリからネットワークエコーの信号レベルを読み出し、ネットワークエコーの発信信号に対する減衰量を算出し、ネットワークエコー減衰量としてデータメモリに記憶させる。
【００２８】
そして、表示部１６が算出結果を表示する（ステップＳ２０８）。表示部１６はデータメモリからハイブリッドエコー遅延時間、ネットワークエコー遅延時間ハイブリッドエコー減衰量およびネットワークエコー減衰量を読み出して表示する。
【００２９】
図３は、Ｔ線およびＲ線で観測される発信信号とエコー信号の信号波形を示す図である。
【００３０】
図３の上段の信号波形は、発信信号取得部１２が取得した信号波形であり、各種エコーの遅延時間、減衰量を算出する基準となるものである。同図に示すように、信号発信器１１は、信号レベル−２０ｄＢｍ、信号周波数３０００Ｈｚの信号を発信した。
【００３１】
図３の下段の信号波形は、エコー信号取得部１３が取得した信号波形であり、信号発信器１１が発信した信号に起因するハイブリッドエコーとネットワークエコーが含まれる。同図に示すように、ハイブリッドエコーは、信号レベル−３０ｄＢｍ、信号周波数３００２Ｈｚ、遅延時間０．２１ｍｓで検出され、ネットワークエコーは、信号レベル−４３ｄＢｍ、信号周波数３００３Ｈｚ、遅延時間１６２．６ｍｓで検出された。
【００３２】
ハイブリッドエコーは、発信信号とほぼ同時に観測されるのに対し、ネットワークエコーは、例えば、ルータを用いたＩＰ通信によるネットワークであれば、発信信号から数１００ｍｓ以上遅延して観測される場合がある。したがって、検出部１４は、Ｔ線で発信信号を検出した直後にＲ線で検出したエコーをハイブリッドエコーとし、その後遅延して検出したエコーをネットワークエコーとする。
【００３３】
図３に示す例では、発信信号の発生時間からｔ１ほど遅れてハイブリッドエコーが発生し、ｔ２ほど遅れてネットワークエコーが発生している。
【００３４】
信号発信器１１が、Ｒ線で観測されるハイブリッドエコーとネットワークエコーとが重複しないように、短時間に区切った単発の信号を発信することにより、検出部１４は、ハイブリッドエコーとネットワークエコーとを識別することができ、各エコーの信号レベル、遅延時間をまとめて測定することが可能となる。
【００３５】
また、エコー測定装置１は、図３に示すように、各エコーの信号レベル、遅延時間に加えて信号周波数を測定してもよい。
【００３６】
したがって、本実施の形態によれば、信号発信器１１がＴ線に対して、短時間に区切った単発の信号を発信することにより、Ｒ線で観測されるハイブリッドエコーとネットワークエコーとが重複しないので、ハイブリッドエコーとネットワークエコーとを一度に検出して信号レベル、遅延時間をまとめて測定することが可能となる。
【００３７】
なお、通信先端末で発生する音響エコーもハイブリッドエコーに比べて長い遅延時間を有するので、エコー測定装置１は、この音響エコーについてもハイブリッドエコーとともに信号レベル、遅延時間を測定することができる。
【図面の簡単な説明】
【００３８】
【図１】一実施の形態におけるエコー測定装置の構成を示すブロック図である。
【図２】上記エコー測定装置の動作の流れを示すフローチャートである。
【図３】上記エコー測定装置で取得される発信信号の信号波形とハイブリッドエコーおよびネットワークエコーの信号波形を示す図である。
【符号の説明】
【００３９】
１…エコー測定装置
１１…信号発信器
１２…発信信号取得部
１３…エコー信号取得部
１４…検出部
１５…算出部
１６…表示部
２…電話機
２１…ハイブリッド回路
２２…マイク
２３…スピーカ
【図１】
2009200822.tif 000003
【図２】
2009200822.tif 000004
【図３】
2009200822.tif 000005